(57)【特許請求の範囲】
【請求項１】
建築物で利用される電力を充放電可能な蓄電装置と、
前記蓄電装置の温度を検出する蓄電装置温度検出手段と、
前記建築物に設けられた給湯装置と、
前記建築物に設けられ、熱交換器を有して湯を貯える貯湯部と、
前記給湯装置に貯えらえた湯の温度を検出する湯温度検出手段と、
前記給湯装置に貯えられた湯を前記蓄電装置に循環可能な湯循環装置と、
前記湯温度検出手段により検出された湯の温度と前記蓄電装置温度検出手段により検出された前記蓄電装置の温度とに応じて前記湯循環装置を駆動させる制御手段と、
を具備し、
前記蓄電装置は、
充放電するために適した充放電温度帯が設定され、
前記制御手段は、
前記蓄電装置温度検出手段により検出された前記蓄電装置の温度が前記充放電温度帯における最高温度よりも高温であって、前記湯温度検出手段により検出された湯の温度が前記蓄電装置の温度よりも低温である場合に、前記湯循環装置を駆動させると共に、
前記蓄電装置を循環した後の湯を前記給湯装置に戻す前に前記熱交換器に循環させ、前記熱交換器によって前記貯湯部に貯えられた湯を加熱可能である、
蓄電装置温度調節システム。
【請求項２】
建築物で利用される電力を充放電可能な蓄電装置と、
前記蓄電装置の温度を検出する蓄電装置温度検出手段と、
前記建築物に設けられた給湯装置と、
前記建築物に設けられ、熱交換器を有して湯を貯える貯湯部と、
前記給湯装置に貯えらえた湯の温度を検出する湯温度検出手段と、
前記給湯装置に貯えられた湯を前記蓄電装置に循環可能な湯循環装置と、
前記湯温度検出手段により検出された湯の温度と前記蓄電装置温度検出手段により検出された前記蓄電装置の温度とに応じて前記湯循環装置を駆動させる制御手段と、
を具備し、
前記蓄電装置は、
充放電するために適した充放電温度帯が設定され、
前記制御手段は、
前記蓄電装置温度検出手段により検出された前記蓄電装置の温度が前記充放電温度帯における最低温度よりも低温であって、前記湯温度検出手段により検出された湯の温度が前記蓄電装置の温度よりも高温である場合に、前記湯循環装置を駆動させると共に、
前記給湯装置に貯えられた湯を、前記蓄電装置の前に前記熱交換器に循環させて、前記貯湯部に貯えられた湯を利用して前記熱交換器によって加熱可能である、
蓄電装置温度調節システム。
【請求項３】
建築物で利用される電力を充放電可能な蓄電装置と、
前記蓄電装置の温度を検出する蓄電装置温度検出手段と、
前記建築物に設けられた給湯装置と、
前記建築物に設けられ、熱交換器を有して湯を貯える貯湯部と、
前記給湯装置に貯えらえた湯の温度を検出する湯温度検出手段と、
前記給湯装置に貯えられた湯を前記蓄電装置に循環可能な湯循環装置と、
前記湯温度検出手段により検出された湯の温度と前記蓄電装置温度検出手段により検出された前記蓄電装置の温度とに応じて前記湯循環装置を駆動させる制御手段と、
を具備し、
前記蓄電装置は、
充放電するために適した充放電温度帯が設定され、
前記制御手段は、
前記蓄電装置温度検出手段により検出された前記蓄電装置の温度が前記充放電温度帯における最高温度よりも高温であって、前記湯温度検出手段により検出された湯の温度が前記蓄電装置の温度よりも低温である場合に、前記湯循環装置を駆動させると共に、
前記蓄電装置を循環した後の湯を前記給湯装置に戻す前に前記熱交換器に循環させ、前記熱交換器によって前記貯湯部に貯えられた湯を加熱可能であって、
前記蓄電装置温度検出手段により検出された前記蓄電装置の温度が前記充放電温度帯における最低温度よりも低温であって、前記湯温度検出手段により検出された湯の温度が前記蓄電装置の温度よりも高温である場合に、前記湯循環装置を駆動させると共に、
前記給湯装置に貯えられた湯を、前記蓄電装置の前に前記熱交換器に循環させて、前記貯湯部に貯えられた湯を利用して前記熱交換器によって加熱可能である、
蓄電装置温度調節システム。
【請求項４】
前記制御手段は、
前記蓄電装置温度検出手段により検出された前記蓄電装置の温度が前記充放電温度帯における最低温度よりも低温であって、前記湯温度検出手段により検出された湯の温度が前記蓄電装置の温度よりも高温である場合における前記湯循環装置の駆動を、前記蓄電装置の充放電開始より所定の時間前から行う、
請求項２又は請求項３に記載の蓄電装置温度調節システム。
【発明の詳細な説明】
【技術分野】
【０００１】
本発明は、建築物で利用される電力を充放電可能な蓄電装置の温度調節を行う蓄電装置温度調節システムの技術に関する。
【背景技術】
【０００２】
従来、建築物で利用される電力を充放電可能な蓄電装置の温度調節を行う蓄電装置温度調節システムの技術の技術は公知となっている。例えば、特許文献１に記載の如くである。
【０００３】
特許文献１に記載の蓄電装置温度調節システムでは、蓄電装置が収納された箱に配管が配設される。前記配管は、給湯装置に接続され、必要に応じて給湯することによって、当該給湯装置を利用して前記蓄電装置が収納された箱、ひいては蓄電装置の温度を調節することができる。
【０００４】
しかし、特許文献１に記載の技術は、蓄電装置を保管するための温度を調節するための技術であった。すなわち、蓄電装置を作動（充電又は放電）する際の、蓄電装置温度調節システムの具体的な制御態様が開示されていない点で不利であった。
【先行技術文献】
【特許文献】
【０００５】
【特許文献１】特願２０１０−１９２４０９号公報
【発明の概要】
【発明が解決しようとする課題】
【０００６】
本発明は以上の如き状況に鑑みてなされたものであり、その解決しようとする課題は、蓄電装置を作動（充電又は放電）する際に、給湯装置を利用して蓄電装置の温度を調節することができる蓄電装置温度調節システムを提供するものである。
【課題を解決するための手段】
【０００７】
本発明の解決しようとする課題は以上の如くであり、次にこの課題を解決するための手段を説明する。
【０００８】
即ち、請求項１においては、建築物で利用される電力を充放電可能な蓄電装置と、前記蓄電装置の温度を検出する蓄電装置温度検出手段と、前記建築物に設けられた給湯装置と、前記建築物に設けられ、熱交換器を有して湯を貯える貯湯部と、前記給湯装置に貯えらえた湯の温度を検出する湯温度検出手段と、前記給湯装置に貯えられた湯を前記蓄電装置に循環可能な湯循環装置と、前記湯温度検出手段により検出された湯の温度と前記蓄電装置温度検出手段により検出された前記蓄電装置の温度とに応じて前記湯循環装置を駆動させる制御手段と、を具備し、前記蓄電装置は、充放電するために適した充放電温度帯が設定され、前記制御手段は、前記蓄電装置温度検出手段により検出された前記蓄電装置の温度が前記充放電温度帯における最高温度よりも高温であって、前記湯温度検出手段により検出された湯の温度が前記蓄電装置の温度よりも低温である場合に、前記湯循環装置を駆動させると共に、前記蓄電装置を循環した後の湯を前記給湯装置に戻す前に前記熱交換器に循環させ、前記熱交換器によって前記貯湯部に貯えられた湯を加熱可能であるものである。
【０００９】
請求項２においては、建築物で利用される電力を充放電可能な蓄電装置と、前記蓄電装置の温度を検出する蓄電装置温度検出手段と、前記建築物に設けられた給湯装置と、前記建築物に設けられ、熱交換器を有して湯を貯える貯湯部と、前記給湯装置に貯えらえた湯の温度を検出する湯温度検出手段と、前記給湯装置に貯えられた湯を前記蓄電装置に循環可能な湯循環装置と、前記湯温度検出手段により検出された湯の温度と前記蓄電装置温度検出手段により検出された前記蓄電装置の温度とに応じて前記湯循環装置を駆動させる制御手段と、を具備し、前記蓄電装置は、充放電するために適した充放電温度帯が設定され、前記制御手段は、前記蓄電装置温度検出手段により検出された前記蓄電装置の温度が前記充放電温度帯における最低温度よりも低温であって、前記湯温度検出手段により検出された湯の温度が前記蓄電装置の温度よりも高温である場合に、前記湯循環装置を駆動させると共に、前記給湯装置に貯えられた湯を、前記蓄電装置の前に前記熱交換器に循環させて、前記貯湯部に貯えられた湯を利用して前記熱交換器によって加熱可能であるものである。
【００１０】
請求項３においては、建築物で利用される電力を充放電可能な蓄電装置と、前記蓄電装置の温度を検出する蓄電装置温度検出手段と、前記建築物に設けられた給湯装置と、前記建築物に設けられ、熱交換器を有して湯を貯える貯湯部と、前記給湯装置に貯えらえた湯の温度を検出する湯温度検出手段と、前記給湯装置に貯えられた湯を前記蓄電装置に循環可能な湯循環装置と、前記湯温度検出手段により検出された湯の温度と前記蓄電装置温度検出手段により検出された前記蓄電装置の温度とに応じて前記湯循環装置を駆動させる制御手段と、を具備し、前記蓄電装置は、充放電するために適した充放電温度帯が設定され、前記制御手段は、前記蓄電装置温度検出手段により検出された前記蓄電装置の温度が前記充放電温度帯における最高温度よりも高温であって、前記湯温度検出手段により検出された湯の温度が前記蓄電装置の温度よりも低温である場合に、前記湯循環装置を駆動させると共に、前記蓄電装置を循環した後の湯を前記給湯装置に戻す前に前記熱交換器に循環させ、前記熱交換器によって前記貯湯部に貯えられた湯を加熱可能であって、前記蓄電装置温度検出手段により検出された前記蓄電装置の温度が前記充放電温度帯における最低温度よりも低温であって、前記湯温度検出手段により検出された湯の温度が前記蓄電装置の温度よりも高温である場合に、前記湯循環装置を駆動させると共に、前記給湯装置に貯えられた湯を、前記蓄電装置の前に前記熱交換器に循環させて、前記貯湯部に貯えられた湯を利用して前記熱交換器によって加熱可能であるものである。
【００１１】
請求項４においては、前記制御手段は、前記蓄電装置温度検出手段により検出された前記蓄電装置の温度が前記充放電温度帯における最低温度よりも低温であって、前記湯温度検出手段により検出された湯の温度が前記蓄電装置の温度よりも高温である場合における前記湯循環装置の駆動を、前記蓄電装置の充放電開始より所定の時間前から行うものである。
【発明の効果】
【００１３】
本発明の効果として、以下に示すような効果を奏する。
【００１４】
本発明においては、蓄電装置を作動（充電又は放電）する際に、給湯装置を利用して蓄電装置の温度を調節することができる蓄電装置温度調節システムを提供することができる。
【図面の簡単な説明】
【００１５】
【図１】本発明の一実施形態に係る収納室温度調節システムを具備する住宅の１階部分を示した平面図。
【図２】住宅が具備する電力供給システムを示したブロック図。
【図３】蓄電装置温度調節システムの構成を示した模式図。
【図４】蓄電装置温度調節システムにおいて、（ａ）蓄電装置の温度を上昇させる場合の湯の流れ及び温度変化を示した模式図。（ｂ）同じく、蓄電装置の温度を低下させる場合の湯の流れ及び温度変化を示した模式図。
【図５】蓄電装置の温度が充放電温度帯に含まれる場合の、蓄電装置温度調節システムによる蓄電装置の温度を調節する際の制御態様を示したフローチャート。
【図６】蓄電装置の温度が充放電温度帯に含まれない場合の、蓄電装置温度調節システムによる蓄電装置の温度を調節する際の制御態様を示したフローチャート。
【図７】蓄電装置の温度が充放電温度帯に含まれない場合の、蓄電装置温度調節システムによる蓄電装置の温度を調節する際の制御態様を示したフローチャート。
【図８】（ａ）第二蓄電装置温度調節システムの構成を示した模式図。（ｂ）第二蓄電装置温度調節システムにおいて、蓄電装置の温度を上昇させる場合の湯の流れ及び温度変化を示した模式図。
【図９】（ａ）第二蓄電装置温度調節システムの構成を示した模式図。（ｂ）第二蓄電装置温度調節システムにおいて、蓄電装置の温度を低下させる場合の湯の流れ及び温度変化を示した模式図。
【発明を実施するための形態】
【００１６】
まず、図１を用いて、本発明に係る蓄電装置温度調節システムの一実施形態に係る蓄電装置温度調節システム２００を具備する住宅１００（１階部分のみ）の全体構成について説明する。なお、本発明は住宅に適用されるものに限らず、オフィスビル、駅舎、ホテル等の種々の建築物に広く適用することが可能である。
【００１７】
住宅１００の１階には、玄関１０１、玄関ホール１０２、廊下１０３、トイレ１０４、折り返し階段１０５、階段下収納１０６、デッキ１０７及び車庫１０８が配置される。
【００１８】
住宅１００の北東部分には玄関１０１が配置され、当該玄関１０１の南西側には玄関ホール１０２が配置される。玄関ホール１０２の西側には、西方向に向かって廊下１０３が延設される。廊下１０３の北側には、東から西に向かって順にトイレ１０４及び折り返し階段１０５が住宅１００の外壁１００ａに沿うように配置される。また、折り返し階段１０５の下方には階段下収納１０６が配置される。
【００１９】
階段下収納１０６内には、後述する蓄電装置収納室１１０が配置され、さらに当該蓄電装置収納室１１０内には、後述する蓄電装置４０が配置される。
【００２０】
廊下１０３の西端（住宅１００の南西部分）には、デッキ１０７が配置される。デッキ１０７の東側（住宅１００の南東部分）には、車庫１０８が配置される。
【００２１】
次に、図２を用いて、住宅１００が具備する電力供給システム１について説明する。
【００２２】
電力供給システム１は、住宅等に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２３】
発電部１０は、太陽光を利用して発電する装置であり、太陽電池パネル等により構成される。発電部１０は、例えば、住宅の屋根の上に設置される。
【００２４】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２５】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００２６】
充放電用コンセント群３１は、充電用コンセント３２、ＬＡＮ用コンセント３３及び放電用コンセント３４を具備する。
【００２７】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００２８】
負荷５０は、住宅内において電力が消費される電化製品等であり、特に、停電時（非常時）においても電力を供給する必要がある「特定の負荷」である。
本実施形態においては、負荷５０（特定の負荷）として、リビングに設けられるリビングコンセント５１、冷蔵庫５２、及びリビングに設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００２９】
その他の負荷８０は、住宅内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング以外に設けられるコンセントや照明等が挙げられる。
その他の負荷８０は、分電盤３０に接続される。
【００３０】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３１】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３２】
次に、図２を用いて、上述の如く構成された電力供給システム１において、商用電源９０からの電力が問題なく供給される場合の電力の供給態様について説明する。
【００３３】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３４】
この状態においては、発電部１０において発電された直流電力は、パワーコンディショナ２０において交流電力に変換され、分電盤３０に供給される。また、商用電源９０からの交流電力も分電盤３０に供給される。
【００３５】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００３６】
また、発電部１０及び商用電源９０から分電盤３０に供給された電力は、その他の負荷８０に供給される。すなわち、居住者は、発電部１０及び商用電源９０からの電力によって、リビング以外に設けられるコンセントに接続された機器を利用したり、リビング以外の照明等を点灯させたりすることができる。
【００３７】
また、その他の負荷８０で消費する電力が、発電部１０からの電力だけで十分まかなえる場合は、商用電源９０からの電力を用いないようにすることも可能である。これによって、電力料金を節約することができる。
【００３８】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００３９】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００４０】
次に、停電時（商用電源９０からの電力が供給不能な場合）における電力の供給態様について説明する。
【００４１】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４２】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４３】
この状態においては、発電部１０において発電された電力は、パワーコンディショナ２０、非常用コンセント２１及びケーブル４１を介して蓄電装置４０に充電される。
【００４４】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４５】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００４６】
次に、図３を用いて、蓄電装置温度調節システム２００の構成について説明する。
【００４７】
蓄電装置温度調節システム２００は、給湯装置２２０に貯えられた湯を利用して、蓄電装置４０の温度を調節するものである。蓄電装置温度調節システム２００は、蓄電装置４０の他に、主として蓄電装置温度センサ２１０、給湯装置２２０、湯温度センサ２３０、湯循環装置２４０、制御手段２５０等を具備する。
【００４８】
蓄電装置温度センサ２１０は、本発明に係る蓄電装置温度検出手段の一実施形態であり、蓄電装置４０の温度を検出するものである。
【００４９】
給湯装置２２０は、本発明に係る給湯装置の一実施形態であり、ヒートポンプ等の加熱手段により水を湯に変えて所定の供給場所へ供給する、貯湯式の給湯装置である。給湯装置２２０は、住宅１００に設けられる。給湯装置２２０は、主として給湯タンク２２１、湯温度センサ２３０等を具備する。
【００５０】
給湯タンク２２１は、その内部に湯を貯えるものである。給湯タンク２２１は、その内部に貯えた湯を、所定の温度に保温可能に構成される。給湯タンク２２１に貯えられた湯は、給湯口２２２を介して所定の供給場所に供給される。
【００５１】
湯温度センサ２３０は、本発明に係る湯温度センサの一実施形態であり、給湯タンク２２１に貯えられた湯の温度を検出するものである。なお、湯温度センサ２３０は、本実施形態において３つ設けられる。３つの湯温度センサ２３０は、給湯タンク２２１の上下に適宜の間隔をあけて配置される。これによって、給湯タンク２２１に貯えられた湯が当該給湯タンク２２１内の上側と下側とで温度が異なる場合であっても、当該湯の温度を適切に検出することができる。さらには、給湯タンク２２１に貯えられた湯の量（貯湯量）を推測することができる。
【００５２】
湯循環装置２４０は、本発明に係る湯循環装置の一実施形態であり、給湯装置２２０の給湯タンク２２１に貯えられた湯を、給湯装置２２０の外部（より詳細には、蓄電装置４０）に循環させるものである。湯循環装置２４０は、主としてポンプ２４１、循環配管２４２、第一切り替え弁２４６、第二切り替え弁２４７等を具備する。
【００５３】
ポンプ２４１は、図示せぬモータを有して駆動することにより、給湯タンク２２１に貯えられた湯を送水するものである。ポンプ２４１は、給湯タンク２２１の下端部に並設され、当該給湯タンク２２１に連通される。
【００５４】
循環配管２４２は、ポンプ２４１により送水された湯を、給湯装置２２０の外部に循環させるものである。より詳細には、循環配管２４２は、ポンプ２４１により送水された湯を、給湯装置２２０の外部に配置された蓄電装置４０に循環させるものである。循環配管２４２は、その一端側がポンプ２４１に連通され、その他端側が給湯タンク２２１に連通される。
【００５５】
このように、給湯タンク２２１、ポンプ２４１、及び循環配管２４２は、相互に連通される。そして、給湯タンク２２１に貯えられた湯は、ポンプ２４１により送水されて循環配管２４２を流れ、蓄電装置４０を循環し、再び給湯タンク２２１に供給される。
【００５６】
第一切り替え弁２４６は、給湯タンク２２１に貯えられた湯のうち、当該給湯タンク２２１の最下部に貯えられた（位置する）湯と当該最下部よりも相対的に上方に貯えられた（位置する）湯とを切り替えてポンプ２４１に供給するように構成される。ここで、一般的に、給湯タンク２２１に貯えられた湯の温度は、下部よりも上部が高温となる。したがって、第一切り替え弁２４６は、給湯タンク２２１の最下部に貯えられた湯をポンプ２４１に供給することにより、比較的低温の湯を当該ポンプ２４１に供給することができる。また、第一切り替え弁２４６は、前記最下部よりも相対的に上方に貯えられた湯をポンプ２４１に供給することにより、比較的高温の湯を当該ポンプ２４１に供給することができる。
【００５７】
第二切り替え弁２４７は、ポンプ２４１により送水された湯が循環配管２４２において流れる方向を、切り替え可能に構成される。
なお、第二切り替え弁２４７についての詳細な説明は後述する。
【００５８】
制御手段２５０は、本発明に係る制御手段の一実施形態であり、種々の情報に基づいて湯循環装置２４０の駆動や、蓄電装置４０の充電及び放電の開始及び終了等を制御（設定）するものである。制御手段２５０は、ＲＡＭやＲＯＭ等の記憶部、ＣＰＵ等の演算処理部等により構成される。
制御手段２５０は、湯循環装置２４０を駆動させることができる。すなわち、制御手段２５０は、ポンプ２４１に接続され、当該ポンプ２４１の駆動を制御することができる。
制御手段２５０は、蓄電装置温度センサ２１０に接続され、蓄電装置４０の温度に関する情報を取得することができる。
制御手段２５０は、蓄電装置４０に接続され、当該蓄電装置４０の充電及び放電の開始及び終了等を制御（設定）することができる。また、蓄電装置４０は、当該蓄電装置４０が充電又は放電しているか否か等の当該蓄電装置４０に関する情報を取得することができる。
制御手段２５０は、湯温度センサ２３０に接続され、給湯タンク２２１に貯えられた湯の温度を検出することができる。
第二制御手段３５０は、第一切り替え弁２４６に接続され、給湯タンク２２１に貯えられた湯のうち、当該給湯タンク２２１の最下部に貯えられた湯と当該最下部よりも相対的に上方に貯えられた湯とを切り替えてポンプ２４１に供給することができる。
第二制御手段３５０は、第二切り替え弁２４７に接続され、ポンプ２４１により送水された湯が循環配管２４２において流れる方向を切り替えることができる。
なお、制御手段２５０は、電力供給システム１が具備するホームサーバ６０（図２参照）により兼用することも可能である。
【００５９】
次に、図３及び図４を用いて、循環配管２４２の構成について、さらに詳細に説明する。
【００６０】
なお、図４（ａ）及び（ｂ）中に示す矢印は、循環配管２４２における湯の流れ、及び当該循環配管２４２における湯の温度を示す。
【００６１】
図３に示すように、循環配管２４２は、主として往路配管２４３と、熱交換配管２４４と、復路配管２４５とにより構成される。
【００６２】
往路配管２４３は、ポンプ２４１により送水された湯を、熱交換配管２４４に供給するものである。往路配管２４３は、その一端側がポンプ２４１に連通され、その他端側が熱交換配管２４４の一端側に連通される。
【００６３】
熱交換配管２４４は、往路配管２４３を流れて供給された湯を蓄電装置４０に循環させた後に復路配管２４５に供給することによって、当該熱交換配管２４４を流れる湯と蓄電装置４０との間で熱交換を行うものである。熱交換配管２４４は、当該熱交換配管２４４を流れる湯と蓄電装置４０との間で熱交換が行われ易いように、当該蓄電装置４０の近傍に配置される。熱交換配管２４４は、その他端側が復路配管２４５の一端側に連通される。
【００６４】
復路配管２４５は、熱交換配管２４４を流れて供給された湯を、給湯タンク２２１に供給するものである。復路配管２４５は、その他端側が給湯タンク２２１に連通される。
【００６５】
次に、図４を用いて、熱交換配管２４４を流れる湯と蓄電装置４０との間で行われる熱交換について、さらに詳細に説明する。
【００６６】
ここで、図４（ａ）は、蓄電装置４０の温度が給湯タンク２２１に貯えられた湯の温度より高い場合を示している。
図４（ａ）に示すように、給湯タンク２２１からポンプ２４１に供給される湯は、第一切り替え弁２４６により、当該給湯タンク２２１に貯えられた湯のうち、当該給湯タンク２２１の最下部に貯えられた湯（比較的低温の湯）となる。そして、ポンプ２４１により送水された湯は、往路配管２４３を流れた後、熱交換配管２４４に供給される。そして、熱交換配管２４４に湯が供給されると、当該熱交換配管２４４を流れる湯と蓄電装置４０との間で熱交換が行われる。すなわち、蓄電装置４０の熱が熱交換配管２４４を流れる湯に移動し、当該熱交換配管２４４を流れる湯の温度が上昇する。換言すれば、蓄電装置４０の温度が低下する。そして、熱交換配管２４４を流れる湯が復路配管２４５に供給されると、当該復路配管２４５を流れる湯の温度は往路配管２４３を流れる湯の温度より上昇している。
【００６７】
一方、図４（ｂ）は、蓄電装置４０の温度が給湯タンク２２１に貯えられた湯の温度より低い場合を示している。
図４（ｂ）に示すように、給湯タンク２２１からポンプ２４１に供給される湯は、第一切り替え弁２４６により、当該給湯タンク２２１に貯えられた湯のうち、当該給湯タンク２２１の最下部よりも相対的に上方に貯えられた湯（比較的高温の湯）となる。そして、給湯タンク２２１からポンプ２４１により送水された湯は、往路配管２４３を流れた後、熱交換配管２４４に供給される。そして、熱交換配管２４４に湯が供給されると、当該熱交換配管２４４を流れる湯と蓄電装置４０との間で熱交換が行われる。すなわち、熱交換配管２４４を流れる湯の熱が蓄電装置４０に移動し、当該熱交換配管２４４を流れる湯の温度が低下する。換言すれば、蓄電装置４０の温度が上昇する。そして、熱交換配管２４４を流れる湯が復路配管２４５に供給されると、当該復路配管２４５を流れる湯の温度は往路配管２４３を流れる湯の温度より低下している。
【００６８】
次に、図４から図６までを用いて、蓄電装置温度調節システム２００による蓄電装置４０の温度を調節する際の制御態様について説明する。
【００６９】
なお、蓄電装置４０は、充電又は放電する場合に、充電又は放電する効率の低下や寿命の低下を防止するために最適な温度帯（例えば、２０度から２５度の間）が設定される。以下では、蓄電装置４０が充電又は放電するための最適な温度帯を、「充放電温度帯」とし、当該充放電温度帯における最高温度を「Ｔｈ」（前述の例においては、２５度）とし、当該充放電温度帯における最低温度を「Ｔｌ」（前述の例においては、２０度）とする。
また、以下では、蓄電装置温度センサ２１０によって検出される蓄電装置４０の温度を「Ｔｅ」とし、湯温度センサ２３０によって検出される給湯タンク２２１に貯えられた湯の温度を「Ｔｗ」とする。
【００７０】
まず、図５を用いて、蓄電装置４０の温度Ｔｅが、充放電温度帯に含まれる場合における蓄電装置温度調節システム２００による制御態様について説明する。
【００７１】
ステップＳ１０１において、制御手段２５０は、蓄電装置４０の温度Ｔｅが、充放電温度帯の最低温度Ｔｌ以上であるか否かを判定する。
制御手段２５０は、蓄電装置４０の温度Ｔｅが、充放電温度帯の最低温度Ｔｌ以上であると判定した場合、ステップＳ１０２に移行する。
制御手段２５０は、蓄電装置４０の温度Ｔｅが、充放電温度帯の最低温度Ｔｌ以上でないと判定した場合、ステップＳ２０１に移行する。
【００７２】
ステップＳ１０２において、制御手段２５０は、蓄電装置４０の温度Ｔｅが、充放電温度帯の最高温度Ｔｈ以下であるか否かを判定する。
制御手段２５０は、蓄電装置４０の温度Ｔｅが、充放電温度帯の最高温度Ｔｈ以下であると判定した場合、ステップＳ１０３に移行する。
制御手段２５０は、蓄電装置４０の温度Ｔｅが、充放電温度帯の最高温度Ｔｈ以下でないと判定した場合、ステップＳ３０１に移行する。
【００７３】
ステップＳ１０３において、制御手段２５０は、蓄電装置４０の充電又は放電を開始させる。
制御手段２５０は、上記処理を行った後、ステップＳ１０４に移行する。
なお、前述の如く、商用電源９０の深夜電力は、日中の電力（深夜電力のような割安な料金設定の適用がない電力）よりも料金が安く設定されている。したがって、蓄電装置４０は、深夜帯（深夜電力の料金設定が適用される時間帯）に充電を行うように制御手段２５０によって制御（設定）される。そして、蓄電装置４０は、深夜帯以外にて放電を行うように制御手段２５０によって制御（設定）される。
【００７４】
ステップＳ１０４において、制御手段２５０は、蓄電装置４０の温度Ｔｅが、充放電温度帯の最高温度Ｔｈ以下であるか否かを判定する。
制御手段２５０は、蓄電装置４０の温度Ｔｅが、充放電温度帯の最高温度Ｔｈ以下であると判定した場合、ステップＳ１０５に移行する。
制御手段２５０は、蓄電装置４０の温度Ｔｅが、充放電温度帯の最高温度Ｔｈ以下でないと判定した場合、ステップＳ３１１に移行する。
【００７５】
ステップＳ１０５において、制御手段２５０は、蓄電装置４０の充電又は放電が終了する条件を満たしているか否かを判定する。
制御手段２５０は、蓄電装置４０の充電又は放電が終了する条件を満たしていると判定した場合、ステップＳ１０６に移行する。
制御手段２５０は、蓄電装置４０の充電又は放電が終了する条件を満たしていないと判定した場合、ステップＳ１０４に移行する。
【００７６】
ここで、蓄電装置４０の充電が終了する条件とは、例えば商用電源９０の深夜電力が終了する時間となった場合や、蓄電装置４０の充電が完了した場合等を指すものであり、予め制御手段２５０に設定される。
また、蓄電装置４０の放電が終了する条件とは、例えば商用電源９０の深夜電力が開始する時間となった場合や、蓄電装置４０の充電がゼロになった場合等を指すものであり、予め制御手段２５０に設定される。
なお、以下では、蓄電装置４０の充電又は放電が終了する条件を「充放電停止条件」とする。
【００７７】
ステップＳ１０６において、制御手段２５０は、蓄電装置４０の充電又は放電を終了させる。
【００７８】
このように、蓄電装置４０の充電又は放電が行われている間に当該蓄電装置４０の温度Ｔｅが充放電温度帯に含まれる場合においては、蓄電装置４０の充電又は放電する効率の低下や寿命の低下のおそれが無いため、蓄電装置４０の温度Ｔｅを調節する必要がない。すなわち、制御手段２５０は、蓄電装置温度調節システム２００を駆動させることがないので、当該駆動のための無駄な電力消費を防ぐことができる。
【００７９】
次に、図６を用いて、蓄電装置４０の温度Ｔｅが、充放電温度帯に含まれない場合、より詳細には、充放電温度帯の最低温度Ｔｌ以上ではないと判定した場合における蓄電装置温度調節システム２００による制御態様について説明する。
なお、かかる場合としては、例えば冬期に蓄電装置４０を充電又は放電させる場合等が想定される。
【００８０】
ステップＳ２０１において、制御手段２５０は、蓄電装置４０の温度Ｔｅが、給湯タンク２２１に貯えられた湯の温度Ｔｗ未満であるか否かを判定する。
制御手段２５０は、蓄電装置４０の温度Ｔｅが、給湯タンク２２１に貯えられた湯の温度Ｔｗ未満であると判定した場合、ステップＳ２０２に移行する。
制御手段２５０は、蓄電装置４０の温度Ｔｅが、給湯タンク２２１に貯えられた湯の温度Ｔｗ未満でないと判定した場合、ステップＳ２０９に移行する。
【００８１】
ステップＳ２０２において、制御手段２５０は、湯循環装置２４０の駆動を開始させる。
制御手段２５０は、上記処理を行った後、ステップＳ２０３に移行する。
【００８２】
ステップＳ２０３において、制御手段２５０は、湯循環装置２４０の駆動が開始してから所定時間ｔを経過したか否かを判定する。
制御手段２５０は、湯循環装置２４０の駆動が開始してから所定時間ｔを経過したと判定した場合、ステップＳ２０４に移行する。
制御手段２５０は、湯循環装置２４０の駆動が開始してから所定時間ｔを経過していないと判定した場合、ステップＳ２０３の処理を再び行う。
【００８３】
ステップＳ２０４において、制御手段２５０は、蓄電装置４０の充電又は放電を開始させる。
制御手段２５０は、上記処理を行った後、ステップＳ２０５に移行する。
【００８４】
このように、湯循環装置２４０が駆動した場合、前述の如く、熱交換配管２４４を流れる湯と蓄電装置４０との間で熱交換が行われる。すなわち、熱交換配管２４４を流れる湯の熱が蓄電装置４０に移動し、当該熱交換配管２４４を流れる湯の温度が低下する。換言すれば、蓄電装置４０の温度が上昇する。そして、蓄電装置４０の温度Ｔｅが上昇することにより、当該蓄電装置４０の温度Ｔｅを充放電温度帯に近づけ（若しくは、充放電温度帯に含ませ）、蓄電装置４０の充電又は放電する効率の低下や寿命の低下を可及的に防止することができる。
【００８５】
また、前記所定時間ｔとは、蓄電装置４０の充電又は放電が開始されるまでに、湯循環装置２４０を駆動させることによって、蓄電装置４０の温度Ｔｅを充放電温度帯に近づける（若しくは、充放電温度帯に含ませる）ことができる時間（例えば、１時間）を示すものであり、予め制御手段２５０に設定される。これによって、蓄電装置４０の充電又は放電が開始される時点で、蓄電装置４０の温度Ｔｅを充放電温度帯に近づける（若しくは、充放電温度帯に含ませる）ことができることになり、蓄電装置４０の充電又は放電する効率の低下や寿命の低下を可及的に防止することができる。
【００８６】
ステップＳ２０５において、制御手段２５０は、湯循環装置２４０の駆動が停止する条件を満たしているか否かを判定する。
制御手段２５０は、湯循環装置２４０の駆動が停止する条件を満たしていると判定した場合、ステップＳ２０６に移行する。
制御手段２５０は、湯循環装置２４０の駆動が停止する条件を満たしていないと判定した場合、ステップＳ２１０に移行する。
【００８７】
ここで、湯循環装置２４０の駆動が停止する条件とは、例えば、湯循環装置２４０が駆動してから所定時間ｔ１（所定時間ｔ１＞所定時間ｔ）を経過した場合等を指すものであり、予め制御手段２５０に設定される。
なお、以下では、湯循環装置２４０の駆動が停止する条件を「駆動停止条件」とする。
【００８８】
なお、蓄電装置４０は、充電及び放電するときに温度が上昇するものである。したがって、一旦蓄電装置４０の温度Ｔｅを充放電温度帯に近づければ（若しくは、充放電温度帯に含ませれば）、それ以後に蓄電装置４０の温度Ｔｅが充放電温度帯の最低温度Ｔｌから低く離れることはない。すなわち、湯循環装置２４０が駆動してから所定時間ｔ１を経過した場合に湯循環装置２４０の駆動を停止させることで、制御手段２５０は当該駆動のための無駄な電力消費を防ぐことができる。
【００８９】
ステップＳ２０６において、制御手段２５０は、湯循環装置２４０の駆動を停止させる。
制御手段２５０は、上記処理を行った後、ステップＳ２０７に移行する。
【００９０】
ステップＳ２０７において、制御手段２５０は、蓄電装置４０が充放電停止条件を満たしているか否かを判定する。
制御手段２５０は、蓄電装置４０が充放電停止条件を満たしていると判定した場合、ステップＳ２０８に移行する。
制御手段２５０は、蓄電装置４０が充放電停止条件を満たしていないと判定した場合、ステップＳ２０７の処理を再び行う。
【００９１】
ステップＳ２０８において、制御手段２５０は、蓄電装置４０の充電又は放電を終了させる。
【００９２】
一方、ステップＳ２０１から移行したステップＳ２０９において、制御手段２５０は、制御手段２５０は、蓄電装置４０の充電又は放電を開始させる。
制御手段２５０は、上記処理を行った後、ステップＳ２０７に移行する。
【００９３】
また、ステップＳ２０５から移行したステップＳ２１０において、制御手段２５０は、蓄電装置４０が充放電停止条件を満たしているか否かを判定する。
制御手段２５０は、蓄電装置４０が充放電停止条件を満たしていると判定した場合、ステップＳ２１１に移行する。
制御手段２５０は、蓄電装置４０が充放電停止条件を満たしていないと判定した場合、ステップＳ２０５に移行する。
【００９４】
ステップＳ２１１において、制御手段２５０は、湯循環装置２４０の駆動を停止させる。
制御手段２５０は、上記処理を行った後、ステップＳ２０８に移行する。
【００９５】
次に、図７を用いて、蓄電装置４０の温度Ｔｅが、充放電温度帯に含まれない場合、より詳細には、充放電温度帯の最高温度Ｔｈ以下ではないと判定した場合における蓄電装置温度調節システム２００による制御態様について説明する。
なお、かかる場合としては、例えば夏期に蓄電装置４０を充電又は放電される場合等が想定される。
【００９６】
ステップＳ３０１において、制御手段２５０は、蓄電装置４０の温度Ｔｅが、給湯タンク２２１に貯えられた湯の温度Ｔｗを超過するか否かを判定する。
制御手段２５０は、蓄電装置４０の温度Ｔｅが、給湯タンク２２１に貯えられた湯の温度Ｔｗを超過すると判定した場合、ステップＳ３０２に移行する。
制御手段２５０は、蓄電装置４０の温度Ｔｅが、給湯タンク２２１に貯えられた湯の温度Ｔｗを超過しないと判定した場合、ステップＳ３０８に移行する。
【００９７】
ステップＳ３０２において、制御手段２５０は、湯循環装置２４０の駆動を開始させる。
制御手段２５０は、上記処理を行った後、ステップＳ３０３に移行する。
【００９８】
ステップＳ３０３において、制御手段２５０は、蓄電装置４０の充電又は放電を開始させる。
制御手段２５０は、上記処理を行った後、ステップＳ３０４に移行する。
【００９９】
このように、湯循環装置２４０が駆動した場合、前述の如く、熱交換配管２４４を流れる湯と蓄電装置４０との間で熱交換が行われる。すなわち、蓄電装置４０の熱が熱交換配管２４４を流れる湯に移動し、当該熱交換配管２４４を流れる湯の温度が上昇する。換言すれば、蓄電装置４０の温度が低下する。そして、蓄電装置４０の温度Ｔｅが低下することにより、当該蓄電装置４０の温度Ｔｅを充放電温度帯に近づけ（若しくは、充放電温度帯に含ませ）、蓄電装置４０の充電又は放電する効率の低下や寿命の低下を可及的に防止することができる。
また、給湯タンク２２１に貯えられた湯の温度を蓄電装置４０の熱によって上昇させることができるので、当該湯の温度Ｔｗを上昇させるためだけに前記加熱手段を作動させる必要がない。すなわち、前記加熱手段を作動させるためのエネルギー消費を、抑制することができる。
【０１００】
ステップＳ３０４において、制御手段２５０は、湯循環装置２４０の駆動停止条件を満たしているか否かを判定する。
制御手段２５０は、湯循環装置２４０の駆動停止条件を満たしていると判定した場合、ステップＳ３０５に移行する。
制御手段２５０は、湯循環装置２４０の駆動停止条件を満たしていないと判定した場合、ステップＳ３０９に移行する。
【０１０１】
ここで、湯循環装置２４０の駆動停止条件とは、例えば、湯循環装置２４０の駆動によって当該蓄電装置４０の温度Ｔｅを充放電温度帯に近づける（若しくは、充放電温度帯に含ませる）ことができなくなる場合等を指すものであり、予め制御手段２５０に設定される。
【０１０２】
ステップＳ３０５において、制御手段２５０は、湯循環装置２４０の駆動を停止させる。
制御手段２５０は、上記処理を行った後、ステップＳ３０６に移行する。
【０１０３】
ステップＳ３０６において、制御手段２５０は、蓄電装置４０が充放電停止条件を満たしているか否かを判定する。
制御手段２５０は、蓄電装置４０が充放電停止条件を満たしていると判定した場合、ステップＳ３０７に移行する。
制御手段２５０は、蓄電装置４０が充放電停止条件を満たしていないと判定した場合、ステップＳ３１１に移行する。
【０１０４】
ステップＳ３０７において、制御手段２５０は、蓄電装置４０の充電又は放電を終了させる。
【０１０５】
一方、ステップＳ３０１から移行したステップＳ３０８において、制御手段２５０は、蓄電装置４０の充電又は放電を開始させる。
制御手段２５０は、上記処理を行った後、ステップＳ３０６に移行する。
【０１０６】
また、ステップＳ３０４から移行したステップＳ３０９において、制御手段２５０は、蓄電装置４０が充放電停止条件を満たしているか否かを判定する。
制御手段２５０は、蓄電装置４０が充放電停止条件を満たしていると判定した場合、ステップＳ３１０に移行する。
制御手段２５０は、蓄電装置４０が充放電停止条件を満たしていないと判定した場合、ステップＳ３０４に移行する。
【０１０７】
ステップＳ３１０において、制御手段２５０は、湯循環装置２４０の駆動を停止させる。
制御手段２５０は、上記処理を行った後、ステップ３０７に移行する。
【０１０８】
また、ステップＳ１０４から移行したステップＳ３１１において、制御手段２５０は、蓄電装置４０の温度Ｔｅが、給湯タンク２２１に貯えられた湯の温度Ｔｗを超過するか否かを判定する。
制御手段２５０は、蓄電装置４０の温度Ｔｅが、給湯タンク２２１に貯えられた湯の温度Ｔｗを超過すると判定した場合、ステップＳ３１２に移行する。
制御手段２５０は、蓄電装置４０の温度Ｔｅが、給湯タンク２２１に貯えられた湯の温度Ｔｗを超過しないと判定した場合、ステップＳ３０６に移行する。
【０１０９】
ステップＳ３１２において、制御手段２５０は、湯循環装置２４０の駆動を開始させる。
制御手段２５０は、上記処理を行った後、ステップＳ３０４に移行する。
【０１１０】
次に、図８及び図９を用いて、本発明に係る蓄電装置温度調節システムの別実施形態に係る第二蓄電装置温度調節システム３００の構成について説明する。
なお、蓄電装置温度調節システム２００と同一構成の箇所については、その説明を省略する。
【０１１１】
第二蓄電装置温度調節システム３００は、蓄電装置４０の他に、主として浴槽３７０、浴槽温度センサ３８０、蓄電装置温度センサ２１０、給湯装置２２０、湯温度センサ２３０、第二湯循環装置３４０、第二制御手段３５０等を具備する。
【０１１２】
浴槽３７０は、追い炊き機能を有する。より詳細には、浴槽３７０は、図示せぬ追い炊き用の熱交換器を有する。
【０１１３】
浴槽温度センサ３８０は、浴槽３７０の温度、より詳細には、前記追い炊き用の熱交換器の温度を検出するものである。
【０１１４】
第二湯循環装置３４０は、主としてポンプ２４１、第二循環配管３４２、第一切り替え弁２４６、第二切り替え弁２４７等を具備する。
第二循環配管３４２は、主として往路配管２４３と、第二熱交換配管３４４と、復路配管２４５とにより構成される。
第二熱交換配管３４４は、往路配管２４３を流れて供給された湯を浴槽３７０及び蓄電装置４０に循環させた後に復路配管２４５に供給することによって、当該熱交換配管２４４を流れる湯と、浴槽３７０及び蓄電装置４０との間で熱交換を行うものである。熱交換配管２４４は、当該熱交換配管２４４を流れる湯と、浴槽３７０及び蓄電装置４０との間で熱交換が行われ易いように、当該浴槽３７０（より詳細には、前記追い炊き用熱交換器）及び蓄電装置４０の近傍に配置される。熱交換配管２４４は、その他端側が復路配管２４５の一端側に連通される。
【０１１５】
第二切り替え弁２４７は、ポンプ２４１により送水された湯が循環配管２４２において流れる方向を、切り替え可能に構成される。より詳細には、図８（ａ）では、第二切り替え弁２４７を介して、往路配管２４３の一端側がポンプ２４１に連通され、復路配管２４５の他端側が（第一切り替え弁２４６を介して）給湯タンク２２１に連通される。一方、図９（ａ）では、第二切り替え弁２４７を介して、往路配管２４３の一端側が（第一切り替え弁２４６を介して）給湯タンク２２１に連通され、復路配管２４５の他端側がポンプ２４１に連通される。
【０１１６】
第二制御手段３５０は、浴槽温度センサ３８０に接続され、浴槽３７０の温度、より詳細には、前記追い炊き用の熱交換器の温度を検出することができる。
【０１１７】
次に、図８及び図９を用いて、第二蓄電装置温度調節システム３００による蓄電装置４０の温度を調節する際の制御態様について説明する。
【０１１８】
図８（ｂ）に示すように、第二制御手段３５０は、蓄電装置４０の温度Ｔｅを上昇させる必要がある場合に、往路配管２４３の一端側がポンプ２４１に連通され、復路配管２４５の他端側が（第一切り替え弁２４６を介して）給湯タンク２２１に連通されるように第二切り替え弁２４７を切り替える。これによって、第二熱交換配管３４４を流れる湯は蓄電装置４０を循環する前に、浴槽３７０（前記追い炊き用の熱交換器）を循環するように構成される。したがって、蓄電装置４０の温度Ｔｅを上昇させる必要がある場合に、給湯タンク２２１に貯えられた湯の温度Ｔｗをさらに上昇させた後に、蓄電装置４０を循環させることができる。つまり、浴槽３７０の温度（家庭内の排熱）を利用して、蓄電装置４０の温度を効率よく上昇させることができる。
なお、浴槽３７０の温度が、給湯タンク２２１に貯えられた湯の温度Ｔｗより低い場合等には、第二制御手段３５０によって、第二熱交換配管３４４を流れる湯が、浴槽３７０を循環せずに、蓄電装置４０を循環するように構成することもできる。
【０１１９】
また、図９（ｂ）に示すように、第二制御手段３５０は、蓄電装置４０の温度Ｔｅを低下させる必要がある場合に、往路配管２４３の一端側が（第一切り替え弁２４６を介して）給湯タンク２２１に連通され、復路配管２４５の他端側がポンプ２４１に連通されるように第二切り替え弁２４７を切り替える。これによって、第二熱交換配管３４４を流れる湯は蓄電装置４０を循環した後に、浴槽３７０（前記追い炊き用の熱交換器）を循環するように構成される。したがって、蓄電装置４０の温度Ｔｅを低下させる必要がある場合に、熱交換配管３４４を流れる湯を、その温度を上昇させた後に浴槽３７０を循環させることができる。つまり、浴槽３７０の温度を、蓄電装置４０の温度を利用して効率よく上昇させることができる。
なお、蓄電装置４０の温度が、浴槽３７０の温度より低い場合等には、第二制御手段３５０によって、第二熱交換配管３４４を流れる湯が、浴槽３７０を循環しないように構成することもできる。
【０１２０】
上述の如く、本発明に係る一実施形態である蓄電装置温度調節システム２００は、
住宅１００で利用される電力を充放電可能な蓄電装置４０と、
前記蓄電装置４０の温度Ｔｅを検出する蓄電装置温度センサ２１０と、
前記住宅１００に設けられた給湯装置２２０と、
前記給湯装置２２０に貯えらえた湯の温度Ｔｗを検出する湯温度センサ２３０と、
前記給湯装置２２０に貯えられた湯を前記蓄電装置４０に循環可能な湯循環装置２４０と、
前記湯温度センサ２３０により検出された湯の温度Ｔｗと前記蓄電装置温度センサ２１０により検出された蓄電装置４０の温度Ｔｅとに応じて前記湯循環装置２４０を駆動させる制御手段２５０と、
を具備するものである。
【０１２１】
また、蓄電装置温度調節システム２００において、
前記蓄電装置４０は、
充放電するために適した充放電温度帯が設定され、
前記制御手段２５０は、
前記蓄電装置温度センサ２１０により検出された蓄電装置４０の温度Ｔｅが前記充放電温度帯における最高温度Ｔｈよりも高温であって、前記湯温度センサ２３０により検出された湯の温度Ｔｗが前記蓄電装置４０の温度Ｔｅよりも低温である場合に、前記湯循環装置２４０を駆動させるものである。
【０１２２】
また、蓄電装置温度調節システム２００において、
前記蓄電装置４０は、
充放電するために適した充放電温度帯が設定され、
前記制御手段２５０は、
前記蓄電装置温度センサ２１０により検出された蓄電装置４０の温度Ｔｅが前記充放電温度帯における最低温度Ｔｌよりも低温であって、前記湯温度センサ２３０により検出された湯の温度Ｔｗが前記蓄電装置４０の温度よりも高温である場合に、前記湯循環装置２４０を駆動させるものである。
【０１２３】
また、蓄電装置温度調節システム２００において、
前記蓄電装置４０は、
充放電するために適した充放電温度帯が設定され、
前記制御手段２５０は、
前記蓄電装置温度センサ２１０により検出された蓄電装置４０の温度Ｔｅが前記充放電温度帯における最高温度Ｔｈよりも高温であって、前記湯温度センサ２３０により検出された湯の温度Ｔｗが前記蓄電装置４０の温度Ｔｅよりも低温である場合に、前記湯循環装置２４０を駆動させ、
前記蓄電装置温度センサ２１０により検出された蓄電装置４０の温度Ｔｅが前記充放電温度帯における最低温度Ｔｌよりも低温であって、前記湯温度センサ２３０により検出された湯の温度Ｔｗが前記蓄電装置４０の温度Ｔｅよりも高温である場合に、前記湯循環装置２４０を駆動させるものである。
【０１２４】
また、蓄電装置温度調節システム２００において、
前記制御手段２５０は、
前記蓄電装置温度センサ２１０により検出された蓄電装置４０の温度Ｔｅが前記充放電温度帯における最低温度Ｔｌよりも低温であって、前記湯温度センサ２３０により検出された湯の温度Ｔｗが前記蓄電装置４０の温度Ｔｅよりも高温である場合における前記湯循環装置２４０の駆動を、前記蓄電装置４０の充放電開始より所定時間ｔ前から行うものである。
【０１２５】
このような構成によって、蓄電装置４０を作動（充電又は放電）する際に、給湯装置２２０を利用して蓄電装置４０の温度Ｔｅを調節することができる。
また、制御手段２５０の予めの設定に応じて、蓄電装置４０の温度Ｔｅを一定間隔に保つことができるので、蓄電装置４０の効率向上と長寿命化を図ることができる。
また、蓄電装置４０の排熱、（すなわち、家庭内の排熱）を給湯装置２２０に有効活用できるので、当該給湯装置２２０の負荷を軽減することができる。
【符号の説明】
【０１２６】
４０      蓄電装置
２００    蓄電装置温度調節システム
２１０    蓄電装置温度センサ
２２０    給湯装置
２３０    湯温度センサ
２４０    湯循環装置
２５０    制御手段
【図１】
0005908719.tif 000002
【図２】
0005908719.tif 000003
【図３】
0005908719.tif 000004
【図４】
0005908719.tif 000005
【図５】
0005908719.tif 000006
【図６】
0005908719.tif 000007
【図７】
0005908719.tif 000008
【図８】
0005908719.tif 000009
【図９】
0005908719.tif 000010